(57)【要約】【課題】複数の光源を有する照明装置において、各光源の劣化の度合が不均一になることを抑制する技術を提供する。【解決手段】混色により白色光を生成する複数の発光素子から構成される第１の光源と、前記第１の光源を構成する複数の発光素子とは異なる色の発光素子で構成され、前記第１の光源との混色により白色光を生成する第２の光源と、を有する光源部と、第１の光源及び第２の光源の劣化度合を判定する判定手段と、第１の光源の劣化度合が第２の光源の劣化度合より小さい場合は、第１の光源を発光させ、第１の光源の劣化度合が第２の光源の劣化度合以上の場合は、第１の光源及び第２の光源を発光させる制御手段と、を備える照明装置。【選択図】図１
2013016462.tif 000002
【特許請求の範囲】
【請求項１】
混色により白色光を生成する複数の発光素子から構成される第１の光源と、前記第１の光源を構成する複数の発光素子とは異なる色の発光素子で構成され、前記第１の光源との混色により白色光を生成する第２の光源と、を有する光源部と、
第１の光源及び第２の光源の劣化度合を判定する判定手段と、
第１の光源の劣化度合が第２の光源の劣化度合より小さい場合は、第１の光源を発光させ、第１の光源の劣化度合が第２の光源の劣化度合以上の場合は、第１の光源及び第２の光源を発光させる制御手段と、
を備える照明装置。
【請求項２】
前記制御手段は、第１の光源の劣化度合が第２の光源の劣化度合以上であって、かつ、第１の光源の劣化度合と第２の光源の劣化度合との差分が所定値より大きい場合、第２の光源の輝度を、前記差分が前記所定値以下の場合よりも高くする請求項１に記載の照明装置。
【請求項３】
前記制御手段は、前記第１の光源を構成する各光源の劣化度合のうちの最大値と最小値との差分が所定値より大きい場合、前記第１の光源を構成する複数の光源のうち劣化度合が最小の光源の輝度を、前記差分が前記所定値以下の場合よりも高くする請求項１に記載の照明装置。
【請求項４】
各光源の輝度を検出する検出手段と、
前記検出手段により検出される輝度に基づいて、第１の光源及び第２の光源の劣化度合を算出する算出手段と、
をさらに備える請求項１〜３のいずれか１項に記載の照明装置。
【請求項５】
前記第１の光源は、赤色光源、緑色光源、及び青色光源を含む前記複数の光源から構成される請求項１〜４のいずれか１項に記載の照明装置。
【請求項６】
前記第２の光源は白色光源である請求項１〜５のいずれか１項に記載の照明装置。
【請求項７】
前記第２の光源は黄色光源である請求項１〜５のいずれか１項に記載の照明装置。
【請求項８】
前記第１の光源は更に黄色光源を含み、
前記第２の光源は白色光源である請求項１〜５のいずれか１項に記載の照明装置。
【請求項９】
各光源の輝度を検出する検出手段と、
前記検出手段により検出される輝度に基づいて、第１の光源及び第２の光源の劣化度合を算出する算出手段と、をさらに備え、
前記第１の光源は、赤色光源、緑色光源、及び青色光源を含む前記複数の光源から構成され、
前記算出手段は、第１の光源の劣化度合として、赤色光源の劣化度合、緑色光源の劣化度合、及び青色光源の劣化度合の平均値又は最大値を算出する請求項１〜３のいずれか１項に記載の照明装置。
【請求項１０】
各光源の輝度を検出する検出手段と、
前記検出手段により検出される輝度に基づいて、第１の光源及び第２の光源の劣化度合を算出する算出手段と、をさらに備え、
前記第１の光源は、赤色光源、緑色光源、青色光源、及び黄色光源を含み、
前記第２の光源は白色光源であり、
前記算出手段は、第１の光源の劣化度合として、赤色光源の劣化度合、緑色光源の劣化度合、青色光源の劣化度合、及び黄色光源の劣化度合の平均値又は最大値を算出する請求項１〜３のいずれか１項に記載の照明装置。
【請求項１１】
請求項１〜１０のいずれか１項に記載の照明装置と、
前記照明装置により照射される光を画像信号に応じた透過率で透過させることにより画像信号に基づく画像を表示する液晶パネルと、
前記制御手段により制御される前記第１の光源及び前記第２の光源の発光の有無及び輝度に基づいて、前記液晶パネルを透過した光の輝度及び色温度が所定の目標輝度及び目標色温度になるように、前記液晶パネルに入力する画像信号に対し信号処理を行う画像処理手段と、
を備える液晶表示装置。
【請求項１２】
混色により白色光を生成する複数の発光素子から構成される第１の光源と、前記第１の光源を構成する複数の発光素子とは異なる色の発光素子で構成され、前記第１の光源との混色により白色光を生成する第２の光源と、を有する照明装置の制御方法であって、
第１の光源及び第２の光源の劣化度合を判定する判定ステップと、第１の光源の劣化度合が第２の光源の劣化度合より小さい場合は、第１の光源を発光させ、第１の光源の劣化度合が第２の光源の劣化度合以上の場合は、第１の光源及び第２の光源を発光させる制御ステップと、
を有する照明装置の制御方法。
【発明の詳細な説明】
【技術分野】
【０００１】
本発明は、照明装置及びその制御方法、液晶表示装置に関するものである。
【背景技術】
【０００２】
液晶表示装置において所望の色温度で表示を行うためには、白色光源のみでバックライトを構成し画像信号処理にて色温度を調整する方法がある。また、赤色、緑色、青色など複数の色の光源からなる原色光源でバックライトを構成し、これら複数の色の光源を適当な輝度比率で点灯し、加法混色により目標の色温度を実現する方法がある。これらの方法のうち、白色光源のみで構成されたバックライトは、発光効率に優れるが表示色域を広くしにくい。その一方、複数の色の光源からなる原色光源で構成されたバックライトは、表示色域を広くできるが、各色の光源の発光効率が低いため低消費電力化が困難であった。そこで、バックライトを白色光源と複数の色の光源からなる原色光源とで構成し、目標の色温度に応じて白色光源と原色光源の輝度比率を調節して点灯させることで、広色域と高効率を両立させることが考えられる。
【０００３】
例えば、特許文献１では、白色光源と原色光源とを点灯駆動制御するバックライト装置において、目標色に応じて原色光源から点灯する光源が選択され、白色光源と選択された原色光源とが目標色に応じて点灯駆動される。
【０００４】
また、特許文献２では、複数のカラー光源とｎ個の白色光源を有するバックライト装置が開示されている。ここで、白色光源の数ｎは、所望の色域仕様の所定比率、例えば１０％以内にバックライト出力の色域を維持しながら、出力照明範囲の発光効率を高める又は最大化させるように選択される。
【先行技術文献】
【特許文献】
【０００５】
【特許文献１】特開2010-128072号公報
【特許文献２】特表2010-528432号公報
【発明の概要】
【発明が解決しようとする課題】
【０００６】
しかし、特許文献１では、目標色に応じて光源が選択されるが、目標色が固定された状態でバックライト装置が長期間使用された場合、長期間使用された光源と使用されなかった光源とで劣化の度合にばらつきが生じる。そのため、全ての光源を所望の輝度で点灯することができなくなる可能性がある。また、特許文献２では、所望の表示色域を維持しながら白色光源の数ｎが決定されるが、光源輝度の経年劣化については考慮されておらず、高輝度点灯させた光源の輝度劣化速度にバックライトの寿命が依存してしまうという課題があった。
【０００７】
そこで、本発明は、複数の光源を有する照明装置において、各光源の劣化の度合が不均一になることを抑制する技術を提供することを目的とする。
【課題を解決するための手段】
【０００８】
本発明は、混色により白色光を生成する複数の発光素子から構成される第１の光源と、前記第１の光源を構成する複数の発光素子とは異なる色の発光素子で構成され、前記第１の光源との混色により白色光を生成する第２の光源と、を有する光源部と、第１の光源及び第２の光源の劣化度合を判定する判定手段と、第１の光源の劣化度合が第２の光源の劣
化度合より小さい場合は、第１の光源を発光させ、第１の光源の劣化度合が第２の光源の劣化度合以上の場合は、第１の光源及び第２の光源を発光させる制御手段と、を備える照明装置である。
【０００９】
本発明は、混色により白色光を生成する複数の発光素子から構成される第１の光源と、前記第１の光源を構成する複数の発光素子とは異なる色の発光素子で構成され、前記第１の光源との混色により白色光を生成する第２の光源と、を有する照明装置の制御方法であって、第１の光源及び第２の光源の劣化度合を判定する判定ステップと、第１の光源の劣化度合が第２の光源の劣化度合より小さい場合は、第１の光源を発光させ、第１の光源の劣化度合が第２の光源の劣化度合以上の場合は、第１の光源及び第２の光源を発光させる制御ステップと、を有する照明装置の制御方法である。
【発明の効果】
【００１０】
本発明により、複数の光源を有する照明装置において、各光源の劣化の度合が不均一になることを抑制することができる。
【図面の簡単な説明】
【００１１】
【図１】実施例１に係る液晶表示装置の概略構成を示すブロック図
【図２Ａ】実施例１に係るバックライトの光源制御を示すフローチャート
【図２Ｂ】実施例１に係るバックライトの光源制御を示すフローチャート
【図３】実施例２に係るバックライトの光源制御を示すフローチャート
【図４】実施例３に係る液晶表示装置の概略構成を示すブロック図
【図５】実施例３に係るバックライトの光源制御を示すフローチャート
【図６】実施例４に係る液晶表示装置の概略構成を示すブロック図
【図７】実施例４に係るバックライトの光源制御を示すフローチャート
【図８】実施例５に係るバックライトの光源制御を示すフローチャート
【図９】実施例６に係るバックライトの光源制御を示すフローチャート
【発明を実施するための形態】
【００１２】
（実施例１）
本発明の実施例１に係る液晶表示装置の概略構成を図１に示す。図１において、液晶表示装置１は、バックライト部１００、ディスプレイ部１０１及び制御部２００から構成される。なお、以下では、照明装置として、液晶表示装置に用いられるバックライト装置を例示するが、これに限定されるものではない。複数の光源を有し、混色により白色光を生成する照明装置であれば、本発明を適用可能である。また、表示装置として液晶表示装置を例示し、バックライト装置の光源としてＬＥＤ発光素子を例示するが、カラーフィルタ方式の有機ＥＬ（有機ＥＬ発光素子とカラーフィルタを用いた方式）等、各種の表示パネルや光源素子を使用可能である。
【００１３】
バックライト部１００は、白色光源１０、赤色光源１１、緑色光源１２、及び青色光源１３を含む光源部と、光源駆動部１４、及び光源輝度検出部１５から構成される。本実施例では、赤色光源１１、緑色光源１２、及び青色光源１３をまとめて原色光源と称する。原色光源は混色により白色光を生成する第１の光源（光源群）である。白色光源１０は、第１の光源を構成する赤色光源１１、緑色光源１２、及び青色光源１３とは異なる色の光源であって第１の光源との混色により白色光を生成する第２の光源である。
【００１４】
ディスプレイ部１０１は、入力される画像信号に応じた画素毎の透過率でバックライト部１００から発せられる照射光を透過させることにより画像信号に基づく画像を表示する液晶パネルである。
また、制御部２００は、初期輝度記憶部２０、光源輝度劣化度算出部２１、光源輝度劣
化度判定部２２、光源駆動方法決定部２３、表示設定制御部２４、及び画像信号処理部２５から構成される。
【００１５】
白色光源１０、赤色光源１１、緑色光源１２、及び青色光源１３はＬＥＤなど光を発生するデバイス（発光素子）により構成される。各光源は一つまたは複数個を直列、または並列に接続した構成でもよい。また、各光源の数は異なっていてもよい。例えば、緑色光源が他の色の光源の二倍の数であってもよい。各光源の数は液晶表示装置１の輝度仕様や色域仕様に応じて決められる。
【００１６】
光源駆動部１４は、白色光源１０、赤色光源１１、緑色光源１２、及び青色光源１３の各光源を駆動するための電流調整回路及び電圧調整回路を含んで構成される。電流調整回路は、後述する光源駆動方法決定部２３によって決定された電流量に応じて各光源に流す電流量を調整する。電圧調整回路は、光源がＬＥＤの場合であれば、各ＬＥＤの駆動電流によって変動するＬＥＤの順方向降下電圧に応じて出力電圧を調整する。また、出力電圧はＬＥＤの直列接続数に応じても変動するものとする。ＬＥＤ以外の光源の場合、光源駆動部１４は各光源を所望の輝度で点灯させるときに必要な電流と電圧を生成することとする。
【００１７】
光源輝度検出部１５は、白色光源１０、赤色光源１１、緑色光源１２、及び青色光源１３の各光源から発する光の強度、つまり光源の輝度を検出する。光源輝度検出部１５を構成する光検出素子は、異なる複数の波長の光源の輝度を同時に検出可能なものであっても良いし、単一の波長の光源の輝度を検出可能なものであっても良い。光源輝度検出部１５が単一波長の光源の輝度を検出可能な構成の場合、光源輝度検出部１５は、各光源を順次点灯させ、そのときの輝度を順次検出することにより複数の異なる波長の光源の輝度の検出を行う。
【００１８】
次に制御部２００について説明する。
初期輝度記憶部２０は、例えばバックライト装置の製造後の工程において、各光源を予め定められた電流値及びパルス幅（電圧変調）にて点灯させたときに光源輝度検出部１５にて検出される輝度を初期輝度として記憶する。ここで、初期輝度記憶部２０は、ＲＡＭなどの記憶装置にて構成される。
【００１９】
光源輝度劣化度算出部２１は、光源輝度検出部１５にて検出された各光源の輝度と、初期輝度記憶部２０にて記憶されている各光源の輝度との比較に基づき、各光源の輝度の劣化度合を示す輝度劣化度を算出する。各光源の輝度劣化度は、光源輝度検出部１５にて検出された各光源の輝度と、初期輝度記憶部２０にて記憶されている各光源の輝度との比であり、以下の式で算出される。
【数１】
2013016462.tif 000003
【００２０】
また、光源輝度劣化度算出部２１は、原色光源（赤色光源、緑色光源、及び青色光源）
の輝度劣化度の平均値である原色光源平均輝度劣化度を、以下の式により算出する。
【数２】
2013016462.tif 000004
ここで分母の数字は原色光源を構成する色の数である。
【００２１】
光源輝度劣化度算出部２１は、バックライト部１００全体での各光源の輝度劣化度を算出しても良いし、バックライト部１００を構成する光源が独立制御可能な複数の光源ブロックに分割されている場合は、光源ブロック毎に各光源の輝度劣化度を算出してもよい。光源輝度劣化度判定部２２は、光源輝度劣化度算出部２１にて算出された白色光源１０、赤色光源１１、緑色光源１２、及び青色光源１３の各光源の輝度劣化度に基づき、輝度劣化度が大きい光源を判定する。
【００２２】
光源駆動方法決定部２３は、光源輝度劣化度判定部２２にて判定された結果に応じて、白色光源１０、赤色光源１１、緑色光源１２、及び青色光源１３の各光源の駆動設定値を決定する。本実施例では、各光源のＬＥＤはＰＷＭ制御により駆動されるものとし、駆動設定値として各光源に流す電流値及び電圧変調のパルス幅を決定する。このＰＷＭ制御では、ＬＥＤに流す電流値を大きくするか、パルス幅を大きくすることにより、光源の輝度が高くなるものとする。
【００２３】
表示設定制御部２４は、ユーザからの目標輝度及び目標色温度の指定を受け付け、表示設定情報として光源駆動方法決定部２３に送信する。
【００２４】
画像信号処理部２５は、ディスプレイ部１０１に入力する画像信号に対して信号処理を行う。例えば、画像信号処理部２５は、光源駆動方法決定部２３により決定された各光源の駆動設定値（光源毎の発光の有無、輝度、電流値、パルス幅など）に基づき、バックライト部１００が発光する白色光の色温度及び輝度を算出する。そして、算出した色温度及び輝度がユーザにより指定された目標色温度及び目標輝度と一致しない場合、画像信号処理部２５は、ディスプレイ部１０１からの透過光の色温度及び輝度が目標色温度及び目標輝度になるように、画像信号に対して信号処理を行う。
【００２５】
次に、実施例１において制御部２００が行うバックライトの光源制御について説明する。図２Ａにバックライトの光源制御を示すフローチャートを示す。
【００２６】
まず、Ｓ１０において、表示設定制御部２４は、ユーザから表示設定の入力を受け付ける。具体的には、表示設定制御部２４は、ユーザによる輝度、色温度、色域、ガンマ値などの目標値の設定の入力を受け付け、表示設定情報として光源駆動方法決定部２３に送信する。
次に、Ｓ１１において、初期輝度記憶部２０は、記憶している初期輝度の情報を光源輝度劣化度算出部２１に送信する。
【００２７】
次に、Ｓ１２において、光源輝度検出部１５は、輝度検出素子を用いて各光源の現在の輝度を測定する。このとき、各光源の駆動条件は、初期輝度の測定の際に用いられた電流値及びパルス幅に設定される。初期輝度の測定の際に用いられた電流値及びパルス幅の情報は、初期輝度の情報とともに初期輝度記憶部２０に記憶されている。光源輝度検出部１５は、光源輝度検出部１５が異なる複数の波長の光源の輝度を同時に検出可能な構成の場合、各光源を一斉に点灯させて各光源の輝度を測定する。光源輝度検出部１５が単一の波長の光源の輝度を検出可能な構成の場合、光源輝度検出部１５は、各光源を順次点灯させて各色光源の輝度を順次測定する。
【００２８】
次に、Ｓ１３において、光源輝度劣化度算出部２１は、Ｓ１１で初期輝度記憶部２０から取得した初期輝度と、Ｓ１２で光源輝度検出部１５が測定した現在の輝度と、から各光源の輝度劣化度を算出する。光源輝度劣化度算出部２１は、白色光源輝度劣化度Ｗｄｇｒ、赤色光源輝度劣化度Ｒｄｇｒ、緑色光源輝度劣化度Ｇｄｇｒ、青色光源輝度劣化度Ｂｄｇｒ、及び原色光源平均輝度劣化度ＲＧＢｄｇｒＡＶを算出する。 
【００２９】
次に、Ｓ１４において、光源輝度劣化度判定部２２は、Ｓ１３で算出した白色光源輝度劣化度Ｗｄｇｒと、Ｓ１３で算出した原色光源平均輝度劣化度ＲＧＢｄｇｒＡＶとを比較する。比較した結果、白色光源輝度劣化度Ｗｄｇｒが原色光源平均輝度劣化度ＲＧＢｄｇｒＡＶよりも大きい場合、処理はＳ１５に進む。Ｓ１５において、光源駆動方法決定部２３は、原色光源（赤色光源、緑色光源、及び青色光源）を点灯することを決定する。
【００３０】
次にＳ１６において、光源駆動方法決定部２３は、光源輝度検出部１５にて検出した赤色光源、緑色光源、及び青色光源の輝度、ユーザが指定した目標輝度及び目標色温度に応じて、赤色光源、緑色光源、及び青色光源の電流値及びパルス幅を決定する。バックライト部１００から照射された光が液晶パネルを透過した場合に観察される輝度及び色温度と、赤色光源、緑色光源、及び青色光源の電流値及びパルス幅と、の関係は、ＬＵＴや演算式として予め図示しない記憶装置に記憶されている。
【００３１】
光源駆動方法決定部２３は、ユーザに指定された輝度及び色温度に応じて、記憶装置に記憶されたＬＵＴを参照し、必要に応じて補間計算をすることにより、赤色光源、緑色光源、及び青色光源の電流値及びパルス幅を求める。或いは、光源駆動方法決定部２３は、ユーザに指定された輝度及び色温度を、記憶装置に記憶された演算式に代入して、赤色光源、緑色光源、及び青色光源の電流値及びパルス幅を算出する。
【００３２】
記憶装置に記憶されている前記関係が、各光源の輝度が所定の基準輝度（例えば初期輝度）で発光することを前提として作成されている場合は、光源駆動方法決定部２３は、各光源の現在の輝度と基準輝度との差異に応じた補正を行うようにしても良い。この補正は、光源輝度劣化度算出部２１により算出される輝度劣化度を用いて行うようにしても良い。
【００３３】
次に、Ｓ１７において、光源駆動部１４は、Ｓ１６において決定された電流値及びパルス幅にて赤色光源、緑色光源、及び青色光源を駆動し点灯させる。
【００３４】
一方、Ｓ１４の比較の結果、白色光源輝度劣化度Ｗｄｇｒが原色光源平均輝度劣化度ＲＧＢｄｇｒＡＶ以下の場合、処理はＳ１８に進む。Ｓ１８において、光源駆動方法決定部２３は、赤色光源、緑色光源、青色光源、及び白色光源を点灯することを決定する。
次に、Ｓ１９において、光源駆動方法決定部２３は、光源輝度検出部１５にて検出した赤色光源、緑色光源、青色光源、及び白色光源の輝度、ユーザが指定した目標輝度及び目標色温度に応じて、前記各光源の電流値及びパルス幅を決定する。Ｓ１６で決定された赤色光源、緑色光源、及び青色光源の光量の合計値と、Ｓ１９で決定された赤色光源、緑色光源、青色光源、及び白色光源の光量の合計値とは、等しくなる。
【００３５】
次に、Ｓ２０において、光源駆動部１４は、Ｓ１９において決定された電流値及びパルス幅にて赤色光源、緑色光源、青色光源、及び白色光源を駆動し点灯させる。赤色光源、緑色光源、青色光源、及び白色光源を点灯させることで、赤色光源、緑色光源、青色光源のみを点灯させる場合よりも広い表示色域を実現できる。なお、Ｓ１８において、白色光源のみを点灯するのではなく、赤色光源、緑色光源、青色光源、及び白色光源を点灯するようにしているのは、白色光源のみを点灯すると表示色域が狭くなってしまうためである
。赤色光源、緑色光源、青色光源、及び白色光源を点灯させることで、広い表示色域を実現できる。本実施例では、白色光源の劣化速度が、原色光源の劣化速度よりも早いことを前提としている。したがって、赤色光源、緑色光源、青色光源、及び白色光源を点灯させ続けると、あるタイミングで白色光源の輝度劣化度が原色光源平均輝度劣化度よりも大きくなる。
なお、Ｓ１２〜Ｓ２０の処理は、ユーザが設定した時間間隔で定期的に実行するようにしてもよいし、ユーザが液晶表示装置１のキャリブレーション実行の指示をしたときに実行するようにしてもよい。また、液晶表示装置１の電源オフ時や電源オン時に実行するようにしてもよい。
【００３６】
本実施例によれば、原色光源の劣化度合（平均的な劣化度合）が白色光源の劣化度合より小さい場合、原色光源が発光し、原色光源の劣化度合が白色光源の劣化度合以上の場合、原色光源及び白色光源が発光する。従って、白色光源の輝度劣化度と原色光源（本実施例では赤色光源、緑色光源、及び青色光源）の輝度劣化度との間にばらつきが生じることを抑制することができるので、バックライト部１００の性能を長期にわたって維持することが可能になる。
なお、Ｓ１４において白色光源輝度劣化度Ｗｄｇｒが原色光源平均輝度劣化度ＲＧＢｄｇｒＡＶ以下と判定された場合は、赤色光源、緑色光源、青色光源、及び白色光源を点灯するものとした。しかし、白色光源輝度劣化度Ｗｄｇｒと原色光源平均輝度劣化度ＲＧＢｄｇｒＡＶの差に応じてことなる処理をしてもよい。具体的には、白色光源輝度劣化度Ｗｄｇｒと原色光源平均輝度劣化度ＲＧＢｄｇｒＡＶの差が閾値以上（例えば、原色光源平均輝度劣化度ＲＧＢｄｇｒＡＶが白色光源輝度劣化度Ｗｄｇｒの２倍以上）である場合は、白色光源のみを点灯するようにしてもよい。
また、図２Ａでは、Ｓ１４で、光源輝度劣化度判定部２２が、Ｓ１３で算出した白色光源輝度劣化度Ｗｄｇｒと、Ｓ１３で算出した原色光源平均輝度劣化度ＲＧＢｄｇｒＡＶとを比較する例を挙げたが、図２Ｂに示すように光源輝度劣化度判定を行ってもよい。具体的には、図２ＢのＳ２１で、原色光源平均輝度劣化度ＲＧＢｄｇｒＡＶが所定の基準値Ｒｅｆよりも小さいかどうかを判定するようにしてもよい。この場合、原色光源平均輝度劣化度ＲＧＢｄｇｒＡＶが所定の基準値Ｒｅｆよりも小さい場合は、Ｓ１５に進み、赤色光源、緑色光源、及び青色光源を点灯する。一方、原色光源平均輝度劣化度ＲＧＢｄｇｒＡＶが所定の基準値Ｒｅｆ以上である場合は、Ｓ１８に進み、赤色光源、緑色光源、青色光源、及び白色光源を点灯する。
【００３７】
（実施例２）
次に、本発明の実施例２について説明する。実施例２に係る液晶表示装置１の構成は実施例１と同様である。実施例２と実施例１との相違点は、制御部２００が行う制御にある。図３は、実施例２の制御部２００が行う制御の流れを示すフローチャートである。図３において、実施例１の制御部２００が行う制御と同等の内容を示すステップには、図２と同じ符号を付し、詳細な説明を省略する。図３のフローチャートでは、Ｓ２４において光源輝度劣化度判定部２２が行う判定が、実施例１の図２のフローチャートのＳ１４における判定と異なる。具体的には、本実施例では、Ｓ２４において、光源輝度劣化度判定部２２は、白色光源の輝度劣化度Ｗｄｇｒと、原色光源（赤色光源、緑色光源、及び青色光源）の輝度劣化度の中の最大値と、を比較する。赤色光源輝度劣化度Ｒｄｇｒ、緑色光源輝度劣化度Ｇｄｇｒ、青色光源輝度劣化度Ｂｄｇｒとすると、この中の最大値をｍａｘ（Ｒｄｇｒ，Ｇｄｇｒ，Ｂｄｇｒ）で表す。
【００３８】
Ｓ２４における比較の結果、白色光源の輝度劣化度Ｗｄｇｒの方が原色光源の輝度劣化度の最大値ｍａｘ（Ｒｄｇｒ，Ｇｄｇｒ，Ｂｄｇｒ）よりも大きい場合、処理はＳ２５に進む。Ｓ２５において、光源駆動方法決定部２３は、赤色光源、緑色光源、及び青色光源を点灯することを決定する。以降の処理（Ｓ１６，Ｓ１７）は実施例１と同様である。
【００３９】
一方、Ｓ２４にける比較の結果、原色光源の輝度劣化度の最大値ｍａｘ（Ｒｄｇｒ，Ｇｄｇｒ，Ｂｄｇｒ）の方が白色光源の輝度劣化度Ｗｄｇｒよりも大きい場合、処理はＳ２８に進む。Ｓ２８において、光源駆動方法決定部２３は、赤色光源、緑色光源、青色光源及び白色光源を点灯することを決定する。以降の処理（Ｓ１９，Ｓ２０）は実施例１と同様である。
【００４０】
本実施例によれば、原色光源の劣化度合（最大劣化度合）が白色光源の劣化度合より小さい場合、原色光源が発光し、原色光源の劣化度合が白色光源の劣化度合以上の場合、原色光源及び白色光源を発光する。従って、白色光源の輝度劣化度と原色光源（本実施例では、赤色光源、緑色光源、及び青色光源）の輝度劣化度との間にばらつきが生じることを抑制することができるので、バックライト部１００の性能を長期にわたって維持することが可能になる。特に原色光源のうち輝度劣化度が最も大きい光源の輝度劣化度よりも白色光源の輝度劣化度が大きい場合に、白色光源を点灯させない光源制御が行われるので、輝度劣化度のばらつきを効果的に抑制することが可能になる。
【００４１】
（実施例３）
次に、本発明の実施例３について説明する。実施例３と実施例１との構成上の相違点は、バックライト部において、実施例１の白色光源の代わりに実施例３では黄色光源を用いている点である。詳細には、実施例１の光源部は赤色光源、緑色光源、青色光源、及び白色光源で構成されているのに対し、実施例３の光源部は赤色光源、緑色光源、青色光源、及び黄色光源で構成されている。黄色光源は、黄色、黄緑色、橙色など黄色系の発光をする光源である。赤色光源、緑色光源、青色光源、及び黄色光源を点灯させることで、赤色光源、緑色光源、青色光源のみを点灯させる場合よりも広い表示色域を実現できる。
【００４２】
実施例３に係る液晶表示装置１の構成を図４に示す。実施例３に係る液晶表示装置１は、バックライト部３００、ディスプレイ部３０１、及び制御部４００から構成される。
バックライト部３００は、赤色光源３０、緑色光源３１、青色光源３２、黄色光源３３、光源駆動部３４、及び光源輝度検出部３５から構成される。本実施例では、赤色光源３０、緑色光源３１、及び青色光源３２をまとめて原色光源と称する。原色光源は混色により白色光を生成する第１の光源（光源群）である。黄色光源３３は、第１の光源を構成する赤色光源３０、緑色光源３１、及び青色光源３２とは異なる色の光源であって第１の光源との混色により白色光を生成する第２の光源である。
【００４３】
赤色光源３０、緑色光源３１、青色光源３２、及び黄色光源３３の各光源の数は、液晶表示装置１の輝度仕様、色域仕様に応じて決められ、各光源の数は異なっていてもよい。光源駆動部３４は、赤色光源３０、緑色光源３１、青色光源３２、及び黄色光源３３の各光源を駆動するための電流調整回路、電圧調整回路から構成される。
【００４４】
光源輝度検出部３５は、赤色光源３０、緑色光源３１、青色光源３２、及び黄色光源３３の各光源の輝度を検出する。実施例１の光源輝度検出部１５と同様、光源輝度検出部３５は、複数の波長の光源の輝度を同時に検出可能であっても良いし、単一の波長の光源の輝度を検出可能な場合に各光源を順次点灯させて各光源の輝度を順次検出する構成でも良い。
【００４５】
制御部４００の構成は実施例１における制御部２００と同様であるが、バックライト部３００の光源の構成が実施例１と異なることから、制御部４００の各機能部の処理内容は実施例１の制御部２００の各機能部の処理内容とは異なっている。
例えば、初期輝度記憶部４０は、赤色光源３０，緑色光源３１、青色光源３２、及び黄色光源３３の各光源を予め定められた電流値及びパルス幅にて点灯させたときに光源輝度
検出部３５にて検出される輝度を初期輝度として記憶する。
【００４６】
光源輝度劣化度算出部４１は、光源輝度検出部３５にて検出された各光源の輝度と、初期輝度記憶部４０に記憶されている各光源の輝度とに基づき、各光源の輝度劣化度を算出する。赤色光源輝度劣化度Ｒｄｇｒ，緑色光源輝度劣化度Ｇｄｇｒ、青色光源輝度劣化度Ｂｄｇｒは実施例１で説明した式で算出される。黄色光源輝度劣化度Ｙｄｇｒは、以下の式で算出される。
【数３】
2013016462.tif 000005
【００４７】
光源輝度劣化度判定部４２は、光源輝度劣化度算出部４１にて算出された赤色光源３０，緑色光源３１、青色光源３２、及び黄色光源３３の各光源の輝度劣化度に基づき、輝度劣化度が大きい光源を判定する。
光源駆動方法決定部４３は、光源輝度劣化度判定部４２による判定の結果に応じて、赤色光源３０，緑色光源３１、青色光源３２、及び黄色光源３３の各光源の駆動方法を決定する。
【００４８】
画像信号処理部４５は、ディスプレイ部３０１に入力する画像信号に対して信号処理を行う。例えば、画像信号処理部４５は、バックライト部３００の赤色光源３０，緑色光源３１、青色光源３２、及び黄色光源３３により生成される白色光の色温度及び輝度を各光源の駆動設定値（発光の有無、輝度、電流値及びパルス幅など）に基づいて算出する。算出した色温度及び輝度がユーザが表示設定制御部４４にて指定した目標色温度及び目標輝度と一致しない場合、画像信号処理部４５は、ディスプレイ部３０１からの透過光の色温度及び輝度が目標色温度及び目標輝度になるように画像信号に対して信号処理を行う。
【００４９】
次に、図５を用い実施例３において制御部４００が行うバックライト制御について説明する。実施例１と異なる点は主に、白色光源輝度劣化度Ｗｄｇｒの代わりに黄色光源輝度劣化度Ｙｄｇｒが算出され、光源輝度劣化度判定部４２にて黄色光源輝度劣化度Ｙｄｇｒと原色光源平均輝度劣化度ＲＧＢｄｇｒＡＶとの比較に基づいて各光源が制御される点である。
【００５０】
詳細には、Ｓ３１において、初期輝度記憶部４０は、赤色光源、緑色光源、青色光源、及び黄色光源の初期輝度を取得する。
Ｓ３２において、光源輝度検出部３５は、赤色光源、緑色光源、青色光源、及び黄色光源の現在の輝度を測定する。
Ｓ３３において、光源輝度劣化度算出部４１は、赤色光源輝度劣化度Ｒｄｇｒ，緑色光源輝度劣化度Ｇｄｇｒ，青色光源輝度劣化度Ｂｄｇｒ、黄色光源輝度劣化度Ｙｄｇｒ、及び原色光源平均輝度劣化度ＲＧＢｄｇｒＡＶを算出する。
【００５１】
Ｓ３４において、光源輝度劣化度判定部４２は、黄色光源輝度劣化度Ｙｄｇｒと、原色光源平均輝度劣化度ＲＧＢｄｇｒＡＶと、を比較する。比較の結果、黄色光源輝度劣化度Ｙｄｇｒが原色光源平均輝度劣化度ＲＧＢｄｇｒＡＶよりも大きい場合、処理はＳ３５に進む。Ｓ３５において、光源駆動方法決定部４３は原色光源（本実施例では、赤色光源、緑色光源、及び青色光源）を点灯することを決定する。そして、続くＳ１６，Ｓ１７では実施例１と同様、赤色光源、緑色光源、及び青色光源の電流値及びパルス幅が決定され、決定された電流値及びパルス幅にて赤色光源、緑色光源、及び青色光源が駆動される。
【００５２】
一方、Ｓ３４における比較の結果、黄色光源輝度劣化度Ｙｄｇｒが原色光源平均輝度劣
化度ＲＧＢｄｇｒＡＶ以下の場合、処理はＳ３６に進む。Ｓ３６において、光源駆動方法決定部４３は原色光源（本実施例では、赤色光源、緑色光源、及び青色光源）と黄色光源を点灯することを決定する。
【００５３】
続くＳ３７で光源駆動方法決定部４３は、光源輝度検出部３５にて検出した赤色光源、緑色光源、青色光源、及び黄色光源の輝度、ユーザが指定した目標輝度及び目標色温度に応じて、赤色光源、緑色光源、青色光源、及び黄色光源の電流値及びパルス幅を決定する。
続くＳ３８において、光源駆動部３４は、Ｓ３７で決定した電流値及びパルス幅にて赤色光源、緑色光源、青色光源、及び黄色光源を駆動して点灯させる。なお、本実施例では、黄色光源の劣化速度が、原色光源（赤色光源、緑色光源、及び青色光源）の劣化速度よりも早いことを前提としている。したがって、赤色光源、緑色光源、青色光源、及び黄色光源を点灯させ続けると、あるタイミングで黄色光源の輝度劣化度が原色光源平均輝度劣化度よりも大きくなる。
【００５４】
なお、Ｓ３４において、実施例２と同様、光源輝度劣化度判定部４２は、原色光源（赤色光源、緑色光源、及び青色光源）の輝度劣化度の中の最大値ｍａｘ（Ｒｄｇｒ，Ｇｄｇｒ，Ｂｄｇｒ）と、黄色光源輝度劣化度Ｙｄｇｒと、を比較してもよい。その場合、Ｙｄｇｒ＞ｍａｘ（Ｒｄｇｒ，Ｇｄｇｒ，Ｂｄｇｒ）ならば、Ｓ３５において、光源駆動方法決定部４３は、原色光源（赤色光源、緑色光源、及び青色光源）を点灯することを決定する。Ｙｄｇｒ≦ｍａｘ（Ｒｄｇｒ，Ｇｄｇｒ，Ｂｄｇｒ）ならば、Ｓ３８において、光源駆動方法決定部４３は、原色光源（赤色光源、緑色光源、及び青色光源）と黄色光源を点灯することを決定する。
【００５５】
実施例３によれば、原色光源（赤色光源、緑色光源、及び青色光源）の劣化度合が黄色光源の劣化度合より小さい場合、原色光源が発光し、原色光源の劣化度合が黄色光源の劣化度合以上の場合、原色光源及び黄色光源が発光する。従って、黄色光源を用いることで表示色域を拡大した照明装置（バックライト装置）において、黄色光源の輝度劣化度と原色光源の輝度劣化度との間にばらつきが生じることを抑制することができるので、広色域性能を長期にわたって維持することが可能になる。
【００５６】
（実施例４）
次に、本発明の実施例４について説明する。実施例４と実施例１との構成上の相違点は、バックライト部において、さらに黄色光源が追加された点である。詳細には、実施例１の光源部は赤色光源、緑色光源、青色光源、及び白色光源で構成されているのに対し、実施例４の光源部は赤色光源、緑色光源、青色光源、白色光源、及び黄色光源で構成されている。黄色光源は、黄色、黄緑色、及び橙色など黄色系の発光をする光源である。赤色光源、緑色光源、青色光源、白色光源、及び黄色光源を点灯させることで、赤色光源、緑色光源、青色光源、白色光源のみを点灯させる場合よりも広い表示色域を実現できる。
【００５７】
実施例４に係る液晶表示装置１の構成を図６に示す。実施例４に係る液晶表示装置１は、バックライト部５００、ディスプレイ部５０１、及び制御部６００から構成される。
バックライト部５００は、白色光源５０、赤色光源５１、緑色光源５２、青色光源５３、黄色光源５４、光源駆動部５５、及び光源輝度検出部５６から構成される。本実施例では、赤色光源５１、緑色光源５２、青色光源５３、及び黄色光源５４をまとめて有色光源と称する。有色光源は混色により白色光を生成する第１の光源（光源群）である。白色光源１０は、第１の光源を構成する赤色光源５１、緑色光源５２、青色光源５３、及び黄色光源５４とは異なる色の光源であって第１の光源との混色により白色光を生成する第２の光源である。
【００５８】
白色光源５０、赤色光源５１、緑色光源５２、青色光源５３、及び黄色光源５４の数は、液晶表示装置１の輝度仕様、色域仕様に応じて決められ、各光源の数は異なっていてもよい。
光源駆動部３４は、白色光源５０、赤色光源５１、緑色光源５２、青色光源５３、及び黄色光源５４の各光源を駆動するための電流調整回路、電圧調整回路から構成される。
【００５９】
光源輝度検出部５６は、白色光源５０、赤色光源５１、緑色光源５２、青色光源５３、及び黄色光源５４の各光源の輝度を検出する。実施例１の光源輝度検出部１５と同様、光源輝度検出部５６は、複数の波長の光源の輝度を同時に検出可能な構成であっても良いし、単一の波長の光源の輝度を検出可能であって各光源を順次点灯させながら各光源の輝度を順次検出する構成であっても良い。
【００６０】
制御部６００の構成は実施例１における制御部２００と同様であるが、バックライト部５００の光源の構成が実施例１と異なることから、制御部６００の各機能部の処理内容は実施例１の制御部２００の各機能部の処理内容とは異なっている。
【００６１】
例えば、初期輝度記憶部６０は、白色光源５０、赤色光源５１、緑色光源５２、青色光源５３、及び黄色光源５４の各光源を予め定められた電流値及びパルス幅にて点灯させたときに光源輝度検出部５６にて検出される輝度を初期輝度として記憶する。
【００６２】
光源輝度劣化度算出部６１は、光源輝度検出部５６にて検出された各光源の輝度と、初期輝度記憶部６０に記憶されている各光源の輝度との比較に基づき、各光源の輝度劣化度を算出する。白色光源輝度劣化度Ｗｄｇｒ、赤色光源輝度劣化度Ｒｄｇｒ，緑色光源輝度劣化度Ｇｄｇｒ、青色光源輝度劣化度Ｂｄｇｒは実施例１で説明した式で算出される。黄色光源輝度劣化度Ｙｄｇｒは実施例３で説明した式で算出される。
【００６３】
光源輝度劣化度判定部６２は、光源輝度劣化度算出部６１にて算出された白色光源５０、赤色光源５１、緑色光源５２、青色光源５３、及び黄色光源５４の各光源の輝度劣化度に基づき、輝度劣化度が大きい光源を判定する。
光源駆動方法決定部６３は、光源輝度劣化度判定部６２にて判定された結果に応じて、白色光源５０、赤色光源５１、緑色光源５２、青色光源５３、及び黄色光源５４の各光源の駆動方法を決定する。
【００６４】
画像信号処理部６５は、ディスプレイ部５０１に入力する画像信号に対して信号処理を行う。例えば、画像信号処理部６５は、バックライト部５００の白色光源５０、赤色光源５１、緑色光源５２、青色光源５３、及び黄色光源５４により生成される白色光の色温度及び輝度を各光源の駆動設定値に基づいて算出する。算出した色温度及び輝度がユーザが表示設定制御部６４にて指定した目標色温度及び目標輝度と一致しない場合、画像信号処理部６５は、ディスプレイ部５０１からの透過光の色温度及び輝度が目標色温度及び目標輝度になるように画像信号に対して信号処理を行う。バックライト部５００の発光する白色光の色温度及び輝度は、各光源の駆動設定値（光源毎の発光の有無、輝度、電流値及びパルス幅など）に基づいて求められる。
【００６５】
次に、図７を用い実施例４において制御部６００が行うバックライト制御について説明する。実施例１と異なる点は、主に白色光源輝度劣化度Ｗｄｇｒと、有色光源平均輝度劣化度ＲＧＢＹｄｇｒＡＶと、が比較される点である。ここで、有色光源平均輝度劣化度ＲＧＢＹｄｇｒＡＶは次の式で算出される。
【数４】
2013016462.tif 000006
【００６６】
Ｓ４１において、初期輝度記憶部６０は、白色光源、赤色光源、緑色光源、青色光源、及び黄色光源の初期輝度を取得する。
Ｓ４２において、光源輝度検出部５６は、白色光源、赤色光源、緑色光源、青色光源、及び黄色光源の現在の輝度を測定する。
Ｓ４３において、光源輝度劣化度算出部６１は、白色光源輝度劣化度Ｗｄｇｒ，赤色光源輝度劣化度Ｒｄｇｒ，緑色光源輝度劣化度Ｇｄｇｒ，青色光源輝度劣化度Ｂｄｇｒ、黄色光源輝度劣化度Ｙｄｇｒ、及び有色光源平均輝度劣化度ＲＧＢＹｄｇｒＡＶを算出する。
【００６７】
Ｓ４４において、光源輝度劣化度判定部６２は、白色光源輝度劣化度Ｗｄｇｒと、有色光源平均輝度劣化度ＲＧＢＹｄｇｒＡＶと、を比較する。比較の結果、白色光源輝度劣化度Ｗｄｇｒが有色光源平均輝度劣化度ＲＧＢＹｄｇｒＡＶよりも大きい場合、処理はＳ４５に進む。Ｓ４５において、光源駆動方法決定部６３は、有色光源（赤色光源、緑色光源、青色光源、及び黄色光源）を点灯することを決定する。
【００６８】
続くＳ４６で光源駆動方法決定部６３は、光源輝度検出部５６にて検出した赤色光源、緑色光源、青色光源、及び黄色光源の輝度、ユーザが指定した目標輝度及び目標色温度に応じて、赤色光源、緑色光源、青色光源、及び黄色光源の電流値及びパルス幅を決定する。
続くＳ４７において、光源駆動部５５は、Ｓ４６で決定した電流値及びパルス幅にて赤色光源、緑色光源、青色光源、及び黄色光源を駆動して点灯させる。
【００６９】
一方、Ｓ４４における比較の結果、白色光源輝度劣化度Ｗｄｇｒが有色光源平均輝度劣化度ＲＧＢＹｄｇｒＡＶ以下の場合、処理はＳ４８に進む。Ｓ４８において、光源駆動方法決定部６３は、白色光源と有色光源（赤色光源、緑色光源、青色光源、及び黄色光源）を点灯することを決定する。
続くＳ４９において、光源駆動方法決定部６３は、光源輝度検出部５６にて検出した白色光源、赤色光源、緑色光源、青色光源、及び黄色光源の輝度、ユーザが指定した目標輝度及び目標色温度に応じて、各光源の電流値及びパルス幅を決定する。
続くＳ５０において、光源駆動部５５は、Ｓ４９で決定した電流値及びパルス幅にて白色光源、赤色光源、緑色光源、青色光源、及び黄色光源を駆動して点灯させる。
なお、本実施例では、白色光源の劣化速度が、赤色光源、緑色光源、青色光源、及び黄色光源の劣化速度よりも早いことを前提としている。したがって、白色光源、赤色光源、緑色光源、青色光源、及び黄色光源を点灯させ続けると、あるタイミングで白色光源の輝度劣化度が有色光源平均輝度劣化度よりも大きくなる。
【００７０】
なお、Ｓ４４において、光源輝度劣化度判定部６２は、有色光源（本実施例では、赤色光源、緑色光源、青色光源、及び黄色光源）の輝度劣化度の最大値ｍａｘ（Ｒｄｇｒ，Ｇｄｇｒ，Ｂｄｇｒ，Ｙｄｇｒ）と、白色光源輝度劣化度Ｗｄｇｒと、を比較してもよい。その場合、Ｗｄｇｒ＞ｍａｘ（Ｒｄｇｒ，Ｇｄｇｒ，Ｂｄｇｒ，Ｙｄｇｒ）ならば、Ｓ４５において、光源駆動方法決定部６３は、有色光源（赤色光源、緑色光源、青色光源、及び黄色光源）を点灯することを決定する。Ｗｄｇｒ≦ｍａｘ（Ｒｄｇｒ，Ｇｄｇｒ，Ｂｄｇｒ，Ｙｄｇｒ）ならば、Ｓ４８において、光源駆動方法決定部６３は、白色光源と有色光源（赤色光源、緑色光源、青色光源、及び黄色光源）を点灯することを決定する。
【００７１】
実施例４によれば、有色光源（赤色光源、緑色光源、青色光源、及び黄色光源）の劣化度合が白色光源の劣化度合より小さい場合、有色光源が発光し、有色光源の劣化度合が白色光源の劣化度合以上の場合、有色光源及び白色光源が発光する。従って、赤色光源、緑色光源、青色光源、黄色光源、及び白色光源を用いることで表示色域の拡大と発光効率の両立を可能とした照明装置（バックライト装置）において、白色光源の輝度劣化度と有色光源の輝度劣化度との間のばらつきを抑制することができる。よって、広色域・高効率性能を長期にわたって維持することが可能になる。
【００７２】
（実施例５）
次に、本発明の実施例５について説明する。ここでは、原色光源は赤色光源、緑色光源、及び青色光源とする。
【００７３】
実施例５では、実施例１で説明した構成において、白色光源輝度劣化度Ｗｄｇｒに対して、原色光源平均輝度劣化度ＲＧＢｄｇｒＡＶが、所定値以上大きくなった場合のバックライト制御について説明する。ユーザの使用環境や、輝度劣化度検出頻度によって原色光源平均輝度劣化度ＲＧＢｄｇｒＡＶと白色光源輝度劣化度Ｗｄｇｒとの間に所定値以上の差が生じる場合がある。つまり、原色光源と比較して白色光源の劣化が大幅に遅い場合である。このような場合に、本実施例では、バックライト部１００の発する白色光の輝度を目標輝度に維持しつつ、白色光源１０の輝度を高くする。すなわち、白色光源１０と原色光源との輝度比率において、白色光源１０の比率を高める。これにより、原色光源の輝度劣化度と白色光源の輝度劣化度の差を小さくすることができる。本実施例に係る液晶表示装置１の構成は、図１に示した実施例１の液晶表示装置１と同様である。
【００７４】
次に、図１と図８に基づき、実施例５において制御部２００が行う一連の制御について説明する。図８において、実施例１で説明した図２と同じ処理を行うステップには図２と同じ符号を付して詳細な説明を省略する。
【００７５】
本実施例が実施例１と異なる点は、以下の点である。すなわち、Ｓ１４における比較の結果、白色光源輝度劣化度Ｗｄｇｒが原色光源平均輝度劣化度ＲＧＢｄｇｒＡＶ以下の場合（Ｓ１８）、処理はＳ５９に進む。Ｓ５９において、光源輝度劣化度判定部２２は、白色光源輝度劣化度Ｗｄｇｒと原色光源平均輝度劣化度ＲＧＢｄｇｒＡＶの差分の絶対値を算出し、算出した差分の絶対値と所定値Ｃｄｇｒとを比較する。差分の絶対値が所定値Ｃｄｇｒよりも大きい場合、処理はＳ６０に進み、光源駆動方法決定部２３は、白色光源の輝度を前記差分の絶対値が所定値以下の場合よりも高くする。一例を挙げると、Ｓ６０では、白色光源の光量と原色光源の光量（赤色光源、緑色光源、及び青色光源の光量の合計値）とが１：１となるようにし、Ｓ１９では、白色光源の光量と原色光源の光量とが１：２となるようにする。
【００７６】
すなわち、光源駆動方法決定部２３は、バックライト部１００の発する光の輝度における白色光源の比率（寄与）を大きくするよう赤色光源、緑色光源、青色光源、及び白色光源の電流値及びパルス幅を決定する。光源駆動方法決定部２３は、白色光源の輝度比率の大きさを、予め決められた割合だけ増加させても良いし、白色光源輝度劣化度Ｗｄｇｒと原色光源平均輝度劣化度ＲＧＢｄｇｒＡＶの差分の絶対値の所定値Ｃｄｇｒからの乖離の度合に応じて決定しても良い。例えば、光源駆動方法決定部２３は、差分の絶対値と所定値Ｃｄｇｒとの差が大きいほど、白色光源の輝度比率が高くなるように、白色光源の輝度比率を決定しても良い。
【００７７】
続くＳ６１において、光源駆動部１４は、Ｓ６０で決定した電流値及びパルス幅にて、赤色光源、緑色光源、青色光源、及び白色光源を駆動し点灯させる。本実施例によれば、
何らかの原因で白色光源の輝度劣化度が原色光源（この場合、赤色光源、緑色光源、及び青色光源）の輝度劣化度に対し大幅に遅い場合であっても、両者の輝度劣化度のずれを短期間で縮小することができる。従って、バックライト部１００の性能を長期にわたって維持することが可能になる。
【００７８】
なお、本実施例の考え方は、実施例２〜４にも適用することができる。実施例２に適用すると、図３のＳ２４において、光源輝度劣化度判定部２２は、Ｗｄｇｒ≦ｍａｘ（Ｒｄｇｒ，Ｇｄｇｒ，Ｂｄｇｒ）の場合に、差分絶対値｜ｍａｘ（Ｒｄｇｒ，Ｇｄｇｒ，Ｂｄｇｒ）−Ｗｄｇｒ｜と所定値との比較を行う。そして、差分絶対値が所定値より大きい場合に、光源駆動方法決定部２３は、白色光源の輝度比率を上げるよう各光源の点灯を制御する。
【００７９】
実施例３に適用すると、図５のＳ３４において、光源輝度劣化度判定部４２は、Ｙｄｇｒ≦ＲＧＢｄｇｒＡＶの場合に、差分絶対値｜ＲＧＢｄｇｒＡＶ−Ｙｄｇｒ｜と所定値との比較を行う。そして、差分絶対値が所定値より大きい場合に、光源駆動方法決定部４３は、黄色光源の輝度比率を上げるよう各光源の点灯を制御する。これにより、黄色光源の輝度劣化度が原色光源（この場合、赤色光源、緑色光源、及び青色光源）の輝度劣化度よりも大幅に遅い場合であっても、原色光源と黄色光源の輝度劣化度のばらつきを短期間に縮小することができる。
【００８０】
実施例４に適用すると、図７のＳ４４において、光源輝度劣化度判定部６２は、Ｗｄｇｒ≦ＲＧＢＹｄｇｒＡＶの場合に、差分絶対値｜ＲＧＢＹｄｇｒＡＶ−Ｗｄｇｒ｜と所定値との比較を行う。そして、差分絶対値が所定値より大きい場合に、光源駆動方法決定部６３は、白色光源の輝度比率を上げるよう各光源の点灯を制御する。これにより、白色光源の輝度劣化度が有色光源（この場合、赤色光源、緑色光源、青色光源、及び黄色光源）の輝度劣化度よりも大幅に遅い場合であっても、有色光源と白色光源の輝度劣化度のばらつきを短期間に縮小することができる。
【００８１】
（実施例６）
次に、本発明の実施例６について説明する。実施例６では、実施例１で説明した構成において、原色光源の輝度劣化度の最大値ｍａｘ（Ｒｄｇｒ，Ｇｄｇｒ，Ｂｄｇｒ）と最小値ｍｉｎ（Ｒｄｇｒ，Ｇｄｇｒ，Ｂｄｇｒ）との差分に基づく制御を行う。図９に基づき、実施例６において制御部２００が行うバックライト制御について説明する。図９において、実施例１で説明した図２と同じ処理を行うステップには図２と同じ符号を付して詳細な説明を省略する。
【００８２】
本実施例では、Ｓ１５において光源駆動方法決定部２３が原色光源（ここでは、赤色光源、緑色光源、及び青色光源）を点灯させることを決定した後、処理はＳ７６に進む。Ｓ７６において、光源輝度劣化度判定部２２は、ｍａｘ（Ｒｄｇｒ，Ｇｄｇｒ，Ｂｄｇｒ）とｍｉｎ（Ｒｄｇｒ，Ｇｄｇｒ，Ｂｄｇｒ）との差分を算出し、算出した差分と所定値Ｄｄｇｒとを比較する。差分が所定値Ｄｄｇｒ以上の場合、Ｓ７９において、光源駆動方法決定部２３は、原色光源のうち輝度劣化度が最も小さい光源の輝度を前記差分が前記所定値より小さい場合よりも高くする。
【００８３】
すなわち、光源駆動方法決定部２３は、当該光源の電流値及びパルス幅を、ユーザにより指定された輝度及び色温度に応じて決定される通常の場合（差分が所定値Ｄｄｇｒより小さい場合）の電流値及びパルス幅よりも大きくする補正をする。これにより、原色光源の輝度劣化度のばらつきを縮小することができる。光源駆動方法決定部２３は、輝度劣化度が最小の光源の電流値及びパルス幅に対する補正量を、予め定められた量又は割合により決定しても良いし、所定値Ｄｄｇｒからの前記差分の乖離の度合に応じて決定しても良
い。
【００８４】
例えば、光源駆動方法決定部２３は、所定値Ｄｄｇｒからの前記差分の乖離の度合が大きいほど補正量を大きくしても良い。輝度劣化度の小さい光源の輝度を高くすることにより、バックライト部１００による照射光のディスプレイ部１０１からの透過光の輝度及び色温度が、ユーザが指定した輝度及び色温度と一致しなくなる可能性がある。一致しない場合、Ｓ８０において、画像信号処理部２５は、ディスプレイ部１０１からの透過光の輝度及び色温度がユーザにより指定された目標輝度及び目標色温度と一致するように、ディスプレイ部１０１に入力する画像信号に画像処理を加える。これにより、上記のような原色光源の輝度劣化度のばらつきを抑える光源駆動を行った場合でも、ユーザにより指定された輝度及び色温度を実現できる。
【００８５】
同様に、Ｓ１８において光源駆動方法決定部２３が原色光源（赤色光源、緑色光源、及び青色光源）と白色光源を点灯させることを決定した後、処理はＳ８２に進む。Ｓ８２において、光源輝度劣化度判定部２２は、ｍａｘ（Ｒｄｇｒ，Ｇｄｇｒ，Ｂｄｇｒ）とｍｉｎ（Ｒｄｇｒ，Ｇｄｇｒ，Ｂｄｇｒ）との差分を算出し、算出した差分と所定値Ｄｄｇｒとを比較する。差分が所定値Ｄｄｇｒ以上の場合、Ｓ８５において、光源駆動方法決定部２３は、原色光源のうち輝度劣化度が最も小さい光源の輝度を高くする。
【００８６】
すなわち、光源駆動方法決定部２３は、当該光源の電流値及びパルス幅を、ユーザに指定された輝度及び色温度に応じて決定される通常の場合（前記差分が前記所定値Ｄｄｇｒより小さい場合）の電流値及びパルス幅よりも大きくする補正をする。この補正に応じて、Ｓ８６において、画像信号処理部２５は、ディスプレイ部１０１からの透過光の輝度及び色温度がユーザにより指定された目標輝度及び目標色温度と一致するように、ディスプレイ部１０１に入力する画像信号に補正処理を加える。
【００８７】
実施例６の制御によれば、原色光源（この場合、赤色光源、緑色光源、及び青色光源）の輝度劣化度のばらつきを短期間で縮小することができる。従って、バックライト部１００の性能を長期にわたって維持することが可能になる。
【００８８】
なお、本実施例の考え方は、実施例２〜４にも適用することができる。実施例２に適用すると、図３のＳ２５において光源駆動方法決定部２３が原色光源（赤色光源、緑色光源、及び青色光源）を点灯することを決定した次のステップにおいて、光源輝度劣化度判定部２２が上記Ｓ７６の判定を行う。前記差分が前記所定値以上の場合、Ｓ７９〜Ｓ８０の処理が行われる。また、Ｓ２８において光源駆動方法決定部２３が原色光源（赤色光源、緑色光源、及び青色光源）と白色光源を点灯させることを決定した次のステップにおいて、光源輝度劣化度判定部２２が上記Ｓ８２の判定を行う。前記差分が前記所定値以上の場合、Ｓ８５〜Ｓ８６の処理が行われる。
【００８９】
実施例３に適用すると、図５のＳ３５において光源駆動方法決定部４３が原色光源（赤色光源、緑色光源、及び青色光源）を点灯することを決定した次のステップにおいて、光源輝度劣化度判定部４２が上記Ｓ７６の判定を行う。前記差分が前記所定値以上の場合、Ｓ７９〜Ｓ８０の処理が行われる。また、Ｓ３６において光源駆動方法決定部４３が原色光源（赤色光源、緑色光源、及び青色光源）と黄色光源を点灯させることを決定した次のステップにおいて、光源輝度劣化度判定部４２が上記Ｓ８２の判定を行う。
【００９０】
そして、前記差分が前記所定値以上の場合、光源駆動方法決定部４３は、原色光源（赤色光源、緑色光源、及び青色光源）のうち輝度劣化度が最も小さい光源の輝度を高くする補正をする。この補正に応じて、画像信号処理部４５は、バックライト部による照射光のディスプレイ部からの透過光の輝度及び色温度がユーザにより指定された輝度及び色温度
と一致するように、ディスプレイ部に入力する画像信号に補正処理を加える。これにより、原色光源（この場合、赤色光源、緑色光源、及び青色光源）の輝度劣化度のばらつきを短期間で縮小することができ、多原色光源バックライトの性能を長期にわたって維持することが可能になる。
【００９１】
実施例４に適用すると、図７のＳ４５で光源駆動方法決定部６３が原色光源を点灯させることを決定した後、光源輝度劣化度判定部６２がｍａｘ（Ｒｄｇｒ，Ｇｄｇｒ，Ｂｄｇｒ，Ｙｄｇｒ）とｍｉｎ（Ｒｄｇｒ，Ｇｄｇｒ，Ｂｄｇｒ，Ｙｄｇｒ）の差分を算出する。算出した差分と所定値とを比較し、差分が所定値以上の場合、光源駆動方法決定部６３は有色光源（赤色光源、緑色光源、青色光源、及び黄色光源）のうち輝度劣化度が最も小さい光源の電流値及びパルス幅を大きくする補正をする。
【００９２】
この補正に応じて、画像信号処理部６５はバックライト部による照射光のディスプレイ部からの透過光の輝度及び色温度がユーザにより指定された輝度及び色温度と一致するように、ディスプレイ部に入力する画像信号に補正処理を加える。
【００９３】
また、Ｓ４８で光源駆動方法決定部６３が原色光源と白色光源を点灯させることを決定した後、光源輝度劣化度判定部６２がｍａｘ（Ｒｄｇｒ，Ｇｄｇｒ，Ｂｄｇｒ，Ｙｄｇｒ）とｍｉｎ（Ｒｄｇｒ，Ｇｄｇｒ，Ｂｄｇｒ，Ｙｄｇｒ）との差分を算出する。算出した差分と所定値とを比較し、差分が所定値以上の場合、光源駆動方法決定部６３は有色光源（赤色光源、緑色光源、青色光源、及び黄色光源）のうち輝度劣化度が最も小さい光源の電流値及びパルス幅を大きくする補正をする。
【００９４】
この補正に応じて、画像信号処理部６５はバックライト部による照射光のディスプレイ部からの透過光の輝度及び色温度がユーザにより指定された輝度及び色温度と一致するように、ディスプレイ部に入力する画像信号に補正処理を加える。これにより、有色光源（この場合、赤色光源、緑色光源、青色光源、及び黄色光源）の輝度劣化度のばらつきを短期間で縮小することができ、多原色光源バックライトの性能を長期にわたって維持することが可能になる。
【符号の説明】
【００９５】
１０  白色光源、１１  赤色光源、１２  緑色光源、１３  青色光源、１４  光源駆動部、１５  光源輝度検出部、１００  バックライト部、２１  光源輝度劣化度算出部、２２光源輝度劣化度判定部、２３  光源駆動方法決定部、２００  制御部
【図１】
2013016462.tif 000007
【図２Ａ】
2013016462.tif 000008
【図２Ｂ】
2013016462.tif 000009
【図３】
2013016462.tif 000010
【図４】
2013016462.tif 000011
【図５】
2013016462.tif 000012
【図６】
2013016462.tif 000013
【図７】
2013016462.tif 000014
【図８】
2013016462.tif 000015
【図９】
2013016462.tif 000016